(57)【要約】      （修正有）【課題】特に、携帯型のプリンタに用いて好適な台紙にラベルが仮着されて成るプリンタ用記録媒体およびその使用方法を提供する。【解決手段】帯状の台紙２と、この台紙の表面に仮着したラベル片３と、ラベル片に所定の印字情報を印字可能なプリンタ用記録媒体１である。台紙の繰出し方向Ｆ上流側、かつ、台紙の幅方向Ｗのほぼ中央部に頂点部４ａを有し、かつ、この頂点部から印字方向下流側の台紙の両端部２ａより内側に一対の底辺部４ｂが形成されるとともに、頂点部から底辺部に向けて連続する辺部４ｃが形成されて成るスリット４と、底辺部から台紙の端部に向けて形成されたミシン目５と、を備えた。【選択図】図２
2014106319.tif 000002
【特許請求の範囲】
【請求項１】
帯状の台紙と、
この台紙の表面に仮着したラベル片と、
前記ラベル片に所定の印字情報を印字可能なプリンタ用記録媒体であって、
前記台紙の繰出し方向上流側、かつ、台紙の幅方向のほぼ中央部に頂点部を有し、かつ、この頂点部から印字方向下流側の台紙の両端部より内側に一対の底辺部が形成されるとともに、前記頂点部から前記底辺部に向けて連続する辺部が形成されて成るスリットと、
前記底辺部から台紙の端部に向けて形成されたミシン目と、
を備えたことを特徴とするプリンタ用記録媒体。
【請求項２】
前記頂点部は、山形、あるいは、Ｖ字形であることを特徴とする請求項１に記載のプリンタ用記録媒体。
【請求項３】
前記頂点部は、ラベル片とラベル片の間に形成されることを特徴とする請求項１および２に記載のプリンタ用記録媒体。
【請求項４】
前記一対の底面部を結ぶ線分、およびスリットにより囲まれた領域が指掛け部とされることを特徴とする請求項１に記載のプリンタ用記録媒体。
【請求項５】
帯状の台紙と、
この台紙の表面に仮着したラベル片と、
前記ラベル片に所定の印字情報を印字可能なプリンタ用記録媒体であって、
前記台紙の繰出し方向上流側、かつ、台紙の幅方向のほぼ中央部に頂点部を有し、かつ、この頂点部から印字方向下流側の台紙の両端部より内側に一対の底辺部が形成されるとともに、前記頂点部から前記底辺部に向けて連続する辺部が形成されて成るスリットと、
前記底辺部から台紙の端部に向けて形成されたミシン目と、を備えるとともに、前記一対の底面部を結ぶ線分、およびスリットにより囲まれた領域が指掛け部とされるプリンタ用記録媒体の使用方法であって、
前記繰出し方向下流に排出された台紙の前記指掛け部に指などを押し込むとともに、スリット側から繰出し方向へ指などを押出してミシン目に沿い台紙を切断することを特徴とするプリンタ用記録媒体の使用方法。
【発明の詳細な説明】
【技術分野】
【０００１】
本発明は、特に、携帯型のプリンタに用いて好適な台紙にラベルが仮着されて成るプリンタ用記録媒体およびその使用方法に関する。
【背景技術】
【０００２】
従来、ラベルなどの記録媒体（ラベル用紙）に印字を施す携帯型のラベルプリンタが知られている（例えば、特許文献１参照）。
特許文献１のラベルプリンタによれば、プリンタ本体の取出口に進退自在に設けた台紙剥離手段を進退動させることにより、標準モードと剥離モードに切り換えが可能となっている。
標準モードのときは、ラベル用紙の所定枚数のラベルに連続して印字を施し、印字したラベルを台紙に仮着させたまま取出口から送り出し、帯状の台紙ごと切り離すとともに、使用する際に、台紙から一枚ずつラベルを剥離する。
また、剥離モードのときは、ラベルに一枚ずつ印字を施し、ラベルを帯状の台紙から剥離して発行するとともに、発行したラベルをラベル本体の取出口に待機させておき、使用する際、取り出すようになっている。
ところで、特許文献1のような携帯型のラベルプリンタは使用者のベルト等に装着して使用することが多い。使用者が宅配業者の場合、発行されたラベルを軍手のまま取出したい希望があるが、標準モードで所定枚数のラベルを台紙に仮着させたまま発行すると、軍手を外さないと台紙からラベルが剥がしにくいという問題があるため、ラベルが一枚ずつ取出口に剥離・発行されて待機する剥離モードを採用する傾向にある。
しかしながら、剥離モードにしても、台紙が切りにくいという問題がある。
すなわち、一枚ごとにラベルを剥離・発行すると外部に台紙が排出されるが、前述したように軍手を付けた手（指）で台紙を切ろうとすると滑り易く、また、一枚ごとに切ろうとすると排出された台紙の面積が小さいため、掴みにくいという問題がある。
さらに、ラベルを一枚発行するごとに台紙を切る場合、前述したように滑り易く、かつ、掴みにくいことと相俟って手や指などにより台紙が外側（排出方向）に引っ張られ易くなるため、次の発行ラベルの印字位置がずれる可能性があるという問題もある。
また、自動車から離れた外（路上や室外）でラベルを発行することが多い宅配業者にあっては、ラベル一枚ごとに台紙を切ると指で掴みにくい細かな台紙片が出て、路上に散乱し易くなるという問題があった。
このため、台紙（剥離台紙）やラベルの切断が手や指などによって容易に行えるラベル連続体（ラベル用紙）が開発されている（例えば、特許文献２参照）。
特許文献２のラベル連続体によれば、ラベルに第一のミシン目が形成されるとともに、剥離台紙に第二のミシン目を形成することにより、ラベルの使用時には手などによって（剥離）台紙やラベルの切断を容易に行うことができるようにしている。
【先行技術文献】
【特許文献】
【０００３】
【特許文献１】特開２０１１−６３０２６号公報
【特許文献２】特開２００７−２０６２６４号公報
【発明の概要】
【発明が解決しようとする課題】
【０００４】
本発明は、上記の問題点に着目して成されたものであり、特に、携帯型のプリンタに用いて好適な台紙にラベルが仮着されて成るプリンタ用記録媒体およびその使用方法を提供することを課題とする。
【課題を解決するための手段】
【０００５】
本発明に係るプリンタ用記録媒体は、帯状の台紙と、この台紙の表面に仮着したラベル片と、前記ラベル片に所定の印字情報を印字可能なプリンタ用記録媒体であって、前記台紙の繰出し方向上流側、かつ、台紙の幅方向のほぼ中央部に頂点部を有し、かつ、この頂点部から印字方向下流側の台紙の両端部より内側に一対の底辺部が形成されるとともに、前記頂点部から前記底辺部に向けて連続する辺部が形成されて成るスリットと、前記底辺部から台紙の端部に向けて形成されたミシン目と、を備えたことを特徴とする。
また、頂点部は、山形、あるいは、Ｖ字形であるようにできる。
また、頂点部は、ラベル片とラベル片の間に形成されるようにできる。
また、一対の底面部を結ぶ線分、およびスリットにより囲まれた領域を指掛け部とするようにできる。
さらに、本発明に係るプリンタ用記録媒体の使用方法は、帯状の台紙と、この台紙の表面に仮着したラベル片と、前記ラベル片に所定の印字情報を印字可能なプリンタ用記録媒体であって、前記台紙の繰出し方向上流側、かつ、台紙の幅方向のほぼ中央部に頂点部を有し、かつ、この頂点部から印字方向下流側の台紙の両端部より内側に一対の底辺部が形成されるとともに、前記頂点部から前記底辺部に向けて連続する辺部が形成されて成るスリットと、前記底辺部から台紙の端部に向けて形成されたミシン目と、を備えるとともに、前記一対の底面部を結ぶ線分、およびスリットにより囲まれた領域が指掛け部とされるプリンタ用記録媒体の使用方法であって、前記繰出し方向下流に排出された台紙の前記指掛け部に指などを押し込むとともに、スリット側から繰出し方向へ指などを押出してミシン目に沿い台紙を切断することを特徴とする。
【発明の効果】
【０００６】
本発明のプリンタ用記録媒体は、台紙の繰出し方向上流側、かつ、台紙の幅方向のほぼ中央部に頂点部を有し、かつ、この頂点部から印字方向下流側の台紙の両端部より内側に一対の底辺部が形成されるとともに、頂点部から底辺部に向けて連続する辺部が形成されて成るスリットと、底辺部から台紙の端部に向けて形成されたミシン目と、を備え、台紙のスリットに指等を押し当て、台紙の表面側から裏面側に押し込むとともに、繰出し方向に向けて押出すようにできるようにしたため、台紙が所望の位置で切断可能となるという効果がある。
また、頂点部を、山形、あるいは、Ｖ字形とすれば、台紙に対し指等を押し込み易くなる。
また、頂点部を、ラベル片とラベル片の間に形成すれば、頂点部が掴み代となって掴み易くなる。
また、一対の底面部を結ぶ線分、およびスリットにより囲まれた領域を指掛け部とすれば、指等をかけ易くなる。
さらに、本発明に係るプリンタ用記録媒体の使用方法は、繰出し方向下流に排出された台紙の指掛け部に指などを押し込むとともに、スリット側から繰出し方向へ指などを押出してミシン目に沿い台紙を切断するようにしたので、指掛け部に指等をがけ易くなるとともに、台紙を所望の位置で切断できるという効果がある。
【図面の簡単な説明】
【０００７】
【図１】本発明に係るプリンタ用記録媒体の概略斜視図である。
【図２】同、図１中、矢示ＩＩ方向より見た平面図である。
【図３】同、プリンタ用記録媒体をプリンタに装着し、ラベル片を１枚ずつ剥離・発行した剥離モードの使用形態を示す概略斜視図である。
【図４】同、プリンタ用記録媒体をプリンタに装着し、所定枚数のラベル片を台紙に仮着させたまま発行した標準モードの使用形態を示す概略斜視図である。
【図５】他の実施の形態のプリンタ用記録媒体をプリンタに装着し、標準モードで発行した使用形態を示す、図４相当の概略斜視図である。
【発明を実施するための形態】
【０００８】
（第１実施形態）
以下、本発明の一実施の形態につき、図１ないし図４に基づいて説明する。
【０００９】
プリンタ用記録媒体１は、帯状の台紙２と、この台紙２に図示省略の粘着剤を介して剥離自在に仮着されたラベル片３と、を備えており、図１の例では、ロール状に巻回されている。
なお、プリンタ用記録媒体１は、プリンタ２０（図３参照）に装着されて印字を指示されると、印字部（図示省略）にてラベル片３に所定の印字情報を印字するとともに、繰出し方向Ｆに搬送されて発行口２１より排出されるようになっている。
【００１０】
台紙２には、スリット４、および、ミシン目５が形成されている。
スリット４は、繰出し方向Ｆの上流側に頂点部４ａを備え、かつ、繰出し方向Ｆの下流側における台紙２の端部２ｃより内側に底辺部４ｂが形成されており、さらに、前記頂点部４ａから底辺部４ｂに至るまで、連続してなだらかな辺部４ｃが形成された「山形」とされるとともに、台紙２の幅方向Ｗの中央近傍に設けられている。そして、頂点部４ａ、辺部４ｃ、および底辺部４ｂ、４ｂ間を結ぶ線分に囲まれた領域（山形部分）が指掛け部６とされている。
なお、スリット４の頂点部４ａは、ほぼラベル片３の繰出し方向Ｆ上流側の一端部３ａに合わせて設けるようにしてある。
【００１１】
ミシン目５は、前記底辺部４ｂから台紙２の端部２ｃ（図２における、左右の両側端部）に向けて、連続して形成されている。
なお、スリット４およびミシン目５は、台紙２の表面２ａ側から裏面２ｂ側に達するまで貫通してあけられている。
【００１２】
次に、主に、図３に基づき、プリンタ用記録媒体１の使用方法を説明する。
なお、初めに、台紙２からレベル片３を剥離させて発行する「剥離モード」（特許文献１参照）を例に説明する。
図３は、印字されたラベル片３が、プリンタ２０の発行口２１に剥離・発行された状態を示している。
発行されたラベル片３を指等で取り出すと、次のラベル片３に印字が施されながら繰出し方向Ｆ側へ搬送・繰り出され、発行口２１側近辺において剥離・発行される。
ラベル片３の発行、取り出しを繰り返すと、台紙２が図示省略の使用者のベルト等に装着されたプリンタ２０から垂れ下がった状態に繰り出される。
使用者（図示省略）は、台紙２の指掛け部６、すなわち、頂点部４ａ、辺部４ｃ、底辺部４ｂから成るスリット４、および底辺部４ｂ、４ｂ間を結ぶ線分によって囲まれた領域、に台紙２の表面２ａ側から指等を押し当て、裏面２ｂ側に押し込むように力を加えると指掛け部６に指等が引っ掛かるようになるものである。より具体的には、指掛け部６の指等が引っ掛かる部分は、頂点４ａより繰出し方向Ｆ下流に形成された、一対（図３における左右）の底辺部４ｂ、４ｂを結ぶ線分の部分である。
指掛け部６に指等を引っ掛けた状態で繰出し方向Ｆに力を加えて押出す（図３の場合は、押し下げる）と、台紙２はミシン目５から裂け始めるものであり、押出しを続けると台紙２の端部２ｃに達し、台紙３は切断されるものである。
【００１３】
上述したように、台紙２の繰出し方向Ｆ上流側に頂点部４ａを有するスリット４により台紙２の幅方向Ｗの中央近傍に指掛け部６を形成するとともに、スリット４の底辺部４ｂから台紙２の端部２ｃに向けてミシン目５を形成し、使用者（図示省略）が、台紙２の指掛け部６に指等を押し当て、台紙２の表面２ａ側から裏面２ｂ側に押し込むとともに、繰出し方向Ｆに向けて押出すようにしたので、プリンタ２０から排出されて垂れ下がっている台紙２が所望の位置で切断可能となるものである。
特に、使用者のベルト等にグリップなどによって装着させ、路上や屋外で使用する宅配業者などが使用する携帯型のプリンタ２０に本発明のプリンタ用記録媒体１を装着し、「剥離モード」で発行させた場合、使用者（図示省略）が軍手をしていても、ラベル片３を剥がし易く、かつ、軍手のまま台紙２の切断が容易となる。
【００１４】
次に、主に、図４に基づき、「標準モード」時の使用方法につき説明する。
図４は、プリンタ用記録媒体１のラベル片３に所定枚数連続して印字を施し、印字したラベル片３を台紙２に仮着させたまま発行口２１から発行した「標準モード」の状態を説明した概略斜視図であり、図示の例では、三枚のラベル片３が台紙２に仮着されたままプリンタ２０より垂れ下がった状態で繰り出されている。
使用者（図示省略）が、台紙２の裏側２ｂから指掛け部６に指等を押し当て表面２ａ側に押出すと、指掛け部６、およびこの指掛け部６の表面（台紙２の表面２ａ）側に仮着されているラベル片３の一部が台紙２とともに表面側に押出されて浮き上がるため、浮き上がったラベル片３の頂点部４ａ部分に指の腹部分等を当てがい、めくるようにして台紙２よりラベル片３を剥がすことができるので、使用者が軍手をしていても、ラベル片３を剥がすことが可能である。
【００１５】
（第２実施形態）
次に、主に、図５に基づき、他の実施の形態のプリンタ用記録媒体１１につき説明する。
なお、以下において、先の実施の形態と同様の部分は同一符号を付すに止め、詳説を省略する。
プリンタ用記録媒体１１は、帯状の台紙２と、この台紙２に対し剥離自在に仮着されたラベル片３と、を備えており、「スリット」が先の実施の形態と異なっている。
すなわち、台紙２には、繰出し方向Ｆの上流側に頂点部１４ａを備え、かつ、繰出し方向Ｆの下流側における台紙２の端部２ｃより内側に底辺部１４ｂが形成されており、さらに、前記頂点部１４ａから底辺部１４ｂに至るまで、直線の辺部１４ｃが形成された、逆Ｖ字型のスリット１４が台紙２の幅方向Ｗの中央近傍に形成されている。
さらに、底辺部１４ｂより台紙２の端部２ｃに向けて連続してミシン目５が形成されている。
また、頂点部１４ａは、ラベル片３とラベル片３の間のギャップ部Ｇ（いわゆる、カス上げ部）に形成されている。
そして、頂点部１４ａ、および辺部１４ｃ、並びに一対の底辺部１４ｂにより形成されたスリット１４と、底辺部１４ｂ、１４ｂ間を結ぶ線分により囲まれた領域が指掛け部１６とされている。
【００１６】
上述したプリンタ用記録媒体１１をプリンタ２０に装着して「標準モード」で発行すると、ラベル片３が台紙２に仮着されたままプリンタ２０より垂れ下がった状態で繰り出される。
使用者（図示省略）が、台紙２の裏側２ｂから指掛け部１６に指等を押し当て表面２ａ側に押出すと、指掛け部１６、およびこの指掛け部１６の表面（台紙２の表面２ａ）側に仮着されているラベル片３の一部が台紙２とともに表面側に押出されて浮き上がる。このとき、ラベル片３の一辺部３ａより繰出し方向Ｆ上流側のギャップ部Ｇに頂点部１４ａが形成されているため、このギャップ部Ｇの頂点部１４ａが台紙２からラベル片３を指等で剥離する際の「掴み代」としての機能を果たすようになっている。
すなわち、使用者（図示省略）が、台紙２の裏面２ｂ側から指掛け部１６に指等を押し当て表面２ａ側に押出すと、指掛け部１６、およびこの指掛け部１６の表面（台紙２の表面２ａ）側に仮着されているラベル片３の一部が台紙２とともに表面側に押出されて浮き上がるので、台紙２の表面２ａ側から「掴み代」としての頂点部１６（および台紙２の一部）を指等で挟んで表面２側に引き起こすと、開けられた辺部１４ｃの部分において台紙２から浮き上がったラベル片３の裏面の一部が表出する。
辺部１４ｃに指等を刺し入れ、もう一方の指で「掴み代」としての頂点部１４ａを指等で挟み、先とは逆に今度は頂点部１４ａを台紙２の裏側２ｂ側に押し入れると、台紙２よりラベル片３が剥離されて指等に保持される。
【００１７】
なお、図示を省略するが、剥離モードの場合は、指掛け部１６の形状が、先の「山形」状の指掛け部６と異なるだけであり、指掛け部１６の機能としては同様なので、指掛け部１６に指等を押し当て、台紙２の表面２ａ側から裏面２ｂ側に押し込むとともに、繰出し方向Ｆに向けて押出すようにすれば、プリンタ２０から排出されて垂れ下がっている台紙２が所望の位置で切断可能となるものである。
その他の構成、作用、効果については、先の実施の形態とほぼ同様につき、詳説を省略する。
【００１８】
なお、上記実施の形態の構成及び動作は例であって、本発明の趣旨を逸脱しない範囲で適宜変更することができることは言うまでもない。
【符号の説明】
【００１９】
Ｆ    繰出し方向
Ｇ    ギャップ部
Ｗ    台紙２の幅方向
１    プリンタ用記録媒体（第１の実施形態）
２    台紙
２ａ  表面
２ｂ  裏面
２ｃ  端部
３    ラベル片
３ａ  一端部
４    スリット
４ａ  頂点部
４ｂ  底辺部
４ｃ  辺部
５    ミシン目
６    指掛け部
１１  プリンタ用記録媒体（第２の実施形態）
１４  スリット
１４ａ  頂点部
１４ｂ  底辺部
１４ｃ  辺部
１６    指掛け部
２０  プリンタ
２１  発行口
【図１】
2014106319.tif 000003
【図２】
2014106319.tif 000004
【図３】
2014106319.tif 000005
【図４】
2014106319.tif 000006
【図５】
2014106319.tif 000007